(57)【要約】      （修正有）【課題】窓開口部の室外側で窓框もしくは外壁面に後付けで簡単に設置できる窓カバーにより、窓開口部の室外側に概ね閉じられた空間を創設することにより、その空間を空気の断熱層として利用することで、窓開口部の室内側の結露防止と、冷暖房時の省エネルギーを図る方法を提供する。【解決手段】エネルギーを使用して冷暖房する部屋の窓開口部の省エネルギーを目的として、室外側で窓開口部を覆う様にして概ね遮蔽された空気層を創設して断熱効果を高めるカバーシート４を設置する。また、室内側でカーテンボックスの無いカーテンの壁面とカーテンの隙間をカーテンの上部から塞ぐための、後付けの簡易型で軽量のカーテンボックス、及び壁面とカーテンの左右の側面との隙間を塞ぐことができる閉鎖壁を設置することにより、窓とカーテンの間の窓際空間の空気と室内空気との対流を効果的に遮断する。【選択図】図１
2018003569.tif 000002
【特許請求の範囲】
【請求項１】
建物の窓開口部の省エネルギーと窓開口部の室内側の結露を防止するために窓開口部を室外側から覆う様に窓框もしくは外壁面に取り付ける窓カバーであって、窓カバーと窓框との四方の隙間の内の左右と上部もしくは下部の三方を閉止、もしくは左右と上下を併せた四方全てを閉止することで省エネルギーと結露防止ができる窓カバーとその設置方法
【請求項２】
建物の窓開口部の省エネルギーを図るために窓開口部の室内側に有るカーテンボックスの無い既設のカーテンに取り付ける簡易型のカーテンボックスであって、室内壁面に固定する後付けの軽量のカーテンボックスとその設置方法
【請求項３】
建物の窓開口部の省エネルギーを図るために窓開口部の室内側に有るカーテン、もしくはロールスクリーン、もしくはブラインドの左右の側面と室内壁面との隙間を塞ぐ為の閉鎖壁とその設置方法
【請求項４】
建物の窓開口部の省エネルギーと窓開口部の室内側の結露を防止するために窓開口部を室外側から覆う様に窓框もしくは外壁面に取り付ける窓カバーであって、水平方向もしくは垂直方向に間隔を置いて窓格子状に並んだ羽状の回動可能なカバーを具備する請求項１の窓カバーとその設置方法
【発明の詳細な説明】
【技術分野】
【０００１】  この発明は、エネルギーを使用して窓開口部の有る室内を冷暖房する時の冷暖房に必要なエネルギーを抑える省エネルギーを目的として、一つは窓開口部の室外側で、窓框もしくは外壁面に装着できる簡易型の窓カバーによる省エネルギー、もう一つは窓開口部の室内側で、カーテンボックスの無いカーテンに追加設置できる簡易型軽量のカーテンボックスと、カーテンの側面にできる壁面との隙間を塞ぐ閉鎖壁とを組み合わせて省エネルギーに寄与する装置と使用方法に関する。
【背景技術】
【０００２】  室内を冷暖房するときに外気温度と室内温度との間に温度差が有るために、冷房時には窓を通して温度の高い外気から室内に熱気が侵入し、暖房時には窓を通して温度の低い外気から室内に冷気が侵入してくるが、カーテンを閉めることでこの侵入熱を低減できることは広く知られている。しかし、カーテンを閉めただけでは、カーテンの上下左右に開いている壁面との隙間を通して室内空気が循環するために、窓とカーテンの間の窓際空間の空気が室内に入ることはあまり知られていない。【０００３】  この室内の空気の循環は対流と呼ばれ、冷房時には外気によって暖められた窓を通して室内の窓とカーテンの間の窓際空間の空気が暖められて上昇した後に、冷房により冷やされた室内空気がカーテンの下方から窓際空間に引き込まれることで、窓際空間の空気と室内空気の間に対流が起こり、暖房時には逆に、外気によって冷やされた窓を通して窓際空間の空気が冷やされて下降した後に、暖房により暖められた室内空気がカーテンの上方から窓際空間に引き込まれることで、窓際空間の空気と室内空気の間に対流が起こり、この空気の対流は室内温度と外気温度との温度差が有る限り継続するので、冷暖房時の大きなエネルギー損失になっている。【０００４】  また、冬季においては、窓の室内側での結露が大きな問題となっている。窓の室内側における結露の原因は、仕切られていない室内空間内では水蒸気の絶対圧力がどこでも概ね一定で有ることに対して、空気中の水蒸気の飽和蒸気圧は温度が下がるに従って低くなることから、外気温度が下がり室内の窓際の空気の温度が下がるに従い窓際の空気中の水蒸気の飽和蒸気圧が下がり、室内空気の水蒸気の絶対圧力より窓際の空気中の水蒸気の飽和蒸気圧が低くなると、窓際の空気中の水蒸気は水蒸気のままでは居られなくなり温度の低いところから順に凝縮して結露となる。【０００５】  一般的なカーテンは、光を通さないものであっても通気性はある程度有るので、水蒸気は自由に通り抜けることができるため、水蒸気に対しては仕切りが無いに等しいことになり、カーテンを閉めて空気を遮蔽して省エネルギーを行うことで、窓際の空気の温度がカーテンで仕切らない時より下がって外気温度に近づくことになるので結露し易くなる。【０００６】  かかる問題を解決するため、例えば、特許文献１には外壁全体を断熱性の有る回動可能な構造体で覆うことで、省エネルギーと結露を防止する装置が開示されているが、既設の建物に追加設置するにはコストと手間が掛かるため導入は困難である。【０００７】  特許文献２には、窓開口部の室内側にプリーツ状に折畳み伸縮自在に組付けられたスクリーン部材を使って窓開口部全体を閉じることにより室内側の結露を防止する装置が開示されているが、既設の窓の室内側に遮蔽された空間を創出することになるので、既設の窓の温度は外気温度にさらに近づくことになるため、この遮蔽された空間内の限られた水蒸気量ではあるが現状よりも結露し易くなり、その結露の処理方法が必要になる。【０００８】  特許文献３には、カーテンレールを上下に稼動可能な機構として、カーテンレールを下げることでカーテンを下げて、カーテンと床とを接触させてカーテンの下の隙間を塞ぐことで空気���対流を防止する装置が開示されているが、既設のカーテンレール保持具と形状が異なる場合に取付が可能かが不明であり、また、床から高いところに窓下面が有る場合には既設のカーテンを床近くまで長くしないと床まで届かないと言う問題がある。【０００９】  特許文献４には、既設のカーテンレールに装着する脱着可能なカーテンボックスを後付けすることで、カーテンの上部に蓋をして空気の対流を防止する装置が開示されているが、カーテンレールの形状により設置できないカーテンレールが有ること、また、カーテンレールの長さと幅（又は間隔）により多品種の品揃えが必要であること、並びに、現地合わせの細かい加工が想定され、一般ユーザーが施工するのは困難である。【００１０】  非特許文献１には、カーテンの上部あるいは下部もしくは上下部に帯状の遮蔽帯を装着することで対流を防止する技術が開示されているが、既設のカーテンに装着することは難しい。【００１１】  非特許文献２には、カーテンの上部及び下部を天井及び床に接触させることで対流を防止する技術が開示されているが、既設のカーテンの取り替えが必要になる。【００１２】  非特許文献３には、水蒸気を通さない仕切部材を室内側にカーテンの様に設置して、その上部もしくは下部もしくは両側部もしくはそれらの組み合わせにより各部を閉鎖することで、窓際空間の空気と室内空気との対流を抑えることで窓の室内側の結露を防止する技術が開示されているが、一般的な既設のカーテンは水蒸気を自由に通すために、既設のカーテンの取り替えもしくは既設のカーテンの防水加工等が必要になる。
【先行技術文献】
【特許文献】
【００１３】
【特許文献１】  特許登録第２６６２７５３号公報
【特許文献２】  特許登録第３２５５７６０号公報
【特許文献３】  特許登録第３８２４６２３号公報
【特許文献４】  特許登録第４４００７６４号公報
【非特許文献】
【００１４】
【非特許文献１】  特開２００３−２４５１９４号公報
【非特許文献２】  特開２００６−２３０９７７号公報
【非特許文献３】  特開２０１５−１６７７１５号公報
【発明の概要】
【発明が解決しようとする課題】
【００１５】  既設の一般的な窓開口部は、一般的な外壁と比べて断熱性能が極端に悪いので、建物の省エネルギーを考える上で一番対策が必要な箇所である。一般的な窓とカーテンという組み合わせの窓開口部では、窓の開閉とカーテンの開閉でしか外部からの侵入熱を抑えることができないために現状のままでは限界が有る。【００１６】  窓開口部の室外側に雨戸が有る場合には、これを閉めることで省エネルギーと室内側の結露防止に寄与できるが、雨戸が光を通さないので昼間に使用するには適さない。【００１７】  窓開口部に窓とカーテンボックスの無いカーテンだけの部屋を冷暖房する時に、カーテンを閉めても外気温度と室内温度との温度差が有る為に、冷房時には窓際空間の空気が暖められて比重が軽くなり上昇して壁面とカーテン上部の隙間から室内に侵入した後に、室内の冷房で冷やされた空気が壁面とカーテン下部の隙間から窓際空間に引き込まれ、それがまた暖められて上昇して室内に侵入してという空気の対流が起こり、暖房時には逆に、窓際空間の空気が外気温度により冷やされて下降して、壁面とカーテン下部の隙間から室内に侵入した後に、室内の暖房で暖められた空気が壁面とカーテン上部の隙間から窓際空間に引き込まれ、それがまた冷やされて下降して室内に侵入してという空気の対流が起こり、この空気の対流は室内温度と外気温度との温度差が有る限り継続されるので、この空気の対流を止めることができれば省エネルギーとなる。【００１８】  さらに、冬季は外気温度が下がるために絶対湿度が下がり乾燥しやすくなるために、室内では乾燥防止のために加湿することが多くなり、外気温度が下がる夜間に窓開口部の室内側で結露が発生することが大きな問題となっている。
【課題を解決するための手段】
【００１９】  本発明の一つは、窓開口部の室外側において、窓框もしくは外壁面に後付けで簡単に設置できる開閉可能な窓カバーと、その設置方法を提供する。この窓カバーを閉じることにり、窓開口部の室外側に概ね閉じられた空間を創設することができる。【００２０】  本発明のもう一つは、冷暖房をする部屋の窓開口部の室内側において、カーテンボックスの無いカーテンに後付けで簡単に設置できる軽量のカーテンボックスを提供することにより、壁面とカーテン上部の隙間を塞ぐことができる。さらに、壁面とカーテン側面の左右の隙間を簡易的に閉じる遮蔽壁等と組み合わせることで、窓際空気と室内空気との間で起こる継続的な空気の対流を防ぐことができる。
【発明の効果】
【００２１】  一つは、窓開口部の室外側で窓框もしくは外壁面に後付けで簡単に設置できる窓カバーにより、窓開口部の室外側に概ね閉じられた空間を創設することにより、その空間を空気の断熱層として利用することで、窓開口部の室内側の結露防止と、冷暖房時の省エネルギーを図ることができる。【００２２】  もう一つは、窓開口部の室内側でカーテンボックスが無いカーテンの場合には、カーテンレールを片持ちの保持具で保持しているため壁面とカーテン上部の間に隙間が有り、カーテンを閉めてもこの隙間は開いたままであり、壁面とカーテン下部も同様に隙間が開いたままのため、窓とカーテンの間の窓際空間と室内空間との間に空気の対流する経路が開いていることになり、この両空間に温度差ができると対流が生じるが、カーテン上部に簡易型の軽量のカーテンボックスを壁面に固定して設置することで、壁面とカーテン上部の隙間を塞ぐことができ、窓際空間と室内空間との空気の対流経路を遮断することができるので、対流による熱ロスを防止する形で省エネルギーができる。【００２３】  さらに、カーテンレールを片持ちの保持具で保持しているためカーテンの左右の側面も壁面との間に隙間ができているので、上述のようにカーテンボックスにより壁面とカーテン上部の隙間を塞いだとしても、壁とカーテンの左右の側面の隙間の上部と、壁面とカーテン下部との隙間には空気の対流する経路が残っている。そこで、窓の左右の壁面に固定するカーテン側面閉鎖壁を設置することで、壁面とカーテンの左右の側面の隙間を閉じることができ、窓際空間と室内空間の空気の対流経路を完全に遮断することになり、対流による熱ロスを防止する形で省エネルギーができる。
【図面の簡単な説明】
【００２４】
【図１】  窓開口部の室外側の第一実施形態の窓カバー設置状態の正面図
【図２】  窓開口部の室外側の第一実施形態の窓カバー設置状態の水平断面図（Ｘ−Ｘ断面）
【図３】  窓開口部の室外側の第一実施形態の窓カバー設置状態の垂直断面図（Ｙ−Ｙ断面）
【図４】  窓開口部の室外側の第一実施形態の窓カバーの端の固定形態イメージ図
【図５】  第一実施形態のカーテンボックスの斜視図
【図６】  第一実施形態のカーテンボックス設置時の垂直断面図
【図７】  第二実施形態のカーテンボックス設置時の垂直断面図
【図８】  第一実施形態の左右一対のカーテン側面閉鎖壁の斜視図
【図９】  第一実施形態のカーテン側面閉鎖壁設置時の水平断面図
【図１０】  第二実施形態のカーテン側面閉鎖壁設置時の水平断面図
【図１１】  第三実施形態のカーテン側面閉鎖壁設置時の水平断面図
【図１２】  第四実施形態のカーテン側面固定マジックテープ部を通る水平断面図
【図１３】  カーテンボックスの無い場合の冷房時の気流の説明図
【図１４】  カーテンボックスの無い場合の暖房時の気流の説明図
【図１５】  カーテンボックスの有る場合の冷房時の気流の説明図
【図１６】  カーテンボックスの有る場合の暖房時の気流の説明図
【図１７】  カーテンボックスの有る場合のカーテンの左右に隙間の有る場合の冷房時の気流の説明図（正面図）
【図１８】  カーテンボックスの有る場合のカーテンの左右に隙間の有る場合の暖房時の気流の説明図（正面図）
【図１９】  カーテンボックスの有る場合のカーテンの左右に隙間の無い場合の冷房時の気流の説明図（正面図）
【図２０】  カーテンボックスの有る場合のカーテンの左右に隙間の無い場合の暖房時の気流の説明図（正面図）
【図２１】  窓開口部の室外側の第二実施形態の窓カバーの斜視図
【図２２】  窓開口部の室外側の第二実施形態の窓カバー設置状態の開動作時の垂直断面図
【図２３】  窓開口部の室外側の第二実施形態の窓カバー設置状態の閉動作時の垂直断面図
【発明を実施するための形態】
【００２５】  本発明に係る後付けの室外側の窓カバー、及び、後付けの軽量カーテンボックス等について、図面に基づいて実施の形態を説明する。なお、以下の図面において同一または相当する部分には同一の参照符号を付しその説明は繰り返さない。
【００２６】  図１は、後付けの室外側の第一実施形態の窓カバーの設置状態を示す正面図であり、図２は、図１に２点鎖線Ｘ−Ｘで示す位置で水平に切断した水平断面図である。さらに、図３は、図１に２点鎖線Ｙ−Ｙで示す位置で垂直に切断した垂直断面図である。
【００２７】  室外側の第一実施形態の窓カバーは、左右の固定軸ボックス１を取付ネジ７を使用して窓框１１に固定し、その間にカバーシート４を左右の固定軸２に掛けて張り巡らせ、上下を閉鎖ボックス３で抑えて使用することを特徴とする。図１では、カバーシート４を上の閉鎖ボックス３ｃから外して少し下げた状態を示しているが、この窓カバーを使用する時には、カバーシート４を上の閉鎖カバー３ｃまで上げて使用し、使用しない時には、カバーシート４を下まで下ろせば良い。反対に、カバーシート４を上の閉鎖ボックス３ｃで固定して、下の閉鎖ボックス３ｄから外して上に上げても良い。
【００２８】  カバーシート４は、ロールスクリーンの様に一方に巻き取る様式でも良いが、蛇腹状に折れ曲げて片側に寄せる様にしても良い。
【００２９】  図２及び図３に示すように、張り巡らせたカバーシート４に対して、左右の固定ボックス１及び上下の閉鎖ボックス３が線で接触する様に抑えることにより、カバーシート４の四方が固定ボックス１及び閉鎖ボックス３を介して窓框と四方で繋がることになり、カバーシート４と窓の間の空間を外気と概ね遮蔽することができるので、この遮蔽された空間が遮蔽された空気層となり断熱に寄与することができる。
【００３０】  この空気層は、四方を閉じられている方が空気の出入りが完全に無くなるので望ましいが、この空気層への出入りが温度差による対流により起こることを想定すると、上下の閉鎖ボックス３は、上下共に有ることが望ましいが、上もしくは下のどちらか一方しかなくても、左右を閉じていれば対流を止めることができ遮蔽された空気層として同様の省エネ効果が期待できる。
【００３１】  図３では、閉鎖ボックス３がカバーシート４を挟む様にして固定しているが、カバーシート４との接触が閉鎖ボックス３の両端まで繋がっていれば空気を通さないので、挟まずに抑えるだけでも使用できるが、外気の風によりカバーシート４が波打つことが有ると接触が離れる恐れが有るので、少なくとも上下のどちらか一方は挟む様に固定した方が良い。
【００３２】  図４は、固定ボックス内で固定軸２にカバーシート４を繋ぐ方法を示し、伸縮自在の輪ゴム状の留めリング５を固定軸２に通し、留めリング５に取り付けたクリップ６でカバーシート４の端を挟んで固定する固定形態を示している。このリング５とクリップ６とを併せた長さが長過ぎると、カバーシート４の端が固定ボックス１内に留まらなくなり、固定ボックス１とカバーシート４との線的接触が途切れることになるので注意がいる。カバーシート４の端をクリップ６で固定する方法にすることで、カバーシート４を自在な長さにカットして使用することができ、窓開口部の幅に左右されない。
【００３３】  室外側に窓カバーを設けて外気と窓１２の間に遮蔽された空気層ができることで、冷暖房において窓開口部の省エネ効果が期待できるとともに、冬季の外気温度が下がった場合においては、室外側の窓カバーが無い時に比べて窓１２の温度を高く保つことが可能となり、窓開口部の室内側の結露防止の効果が期待できる。
【００３４】  図５は、本発明に係る後付けの軽量カーテンボックスの第一実施形態の外観の斜視図であり、壁面を一つの側壁とする蓋状の形状を成し、既設のカーテンボックスの無いカーテンのカーテンレールの上部に蓋をする様に、後付けで壁面に固定して設置することを特長とする。
【００３５】  軽量カーテンボックス１００は、平板状のカーテンボックス蓋部１００ａを中心にして、壁面１０に固定するためのカーテンボックス固定部１００ｂがカーテンボックス蓋部１００ａの長辺側に繋がり、カーテンボックス蓋部１００ａの反対側の長辺側はカーテンボックス前垂れ部１００ｃに繋がり、カーテンボックス蓋部１００ａの短辺側の両辺はカーテンボックス横垂れ部１００ｄに繋がり、カーテンボックス前垂れ部１００ｃとカーテンボックス横垂れ部１００ｄとは、カーテンボックス蓋部１００ａに対して同方向に概ね９０度折れ曲がって繋がり、カーテンボックス１００の側壁を形成している。
【００３６】  壁面１０に固定するためのカーテンボックス壁面固定部１００ｂは、カーテンボックス蓋部１００ａに対して概ね９０度折れ曲がって繋がるが、折れ曲がる方向がカーテンボックス前垂れ部１００ｃとは反対方向に概ね９０度折れ曲がるものが、図５に示す第一実施形態のカーテンボックスであり、カーテンボックス前垂れ部１００ｃと同方向に概ね９０度折れ曲がるものが、図７に示す第二実施形態のカーテンボックス１００である。
【００３７】  図６は、第一実施形態のカーテンボックス１００を壁面１０に設置した場合の壁面に直交する垂直断面図を示し、壁面１０とカーテンボックス壁面固定部１００ｂは、カーテンボックス１００を壁面に貼るための両面テープ１０１により接着し、カーテンボックス前垂れ部１００ｃとカーテンボックス表装１０３は、両面テープ１０２により接着する。
【００３８】  両面テープ１０１、及び両面テープ１０２は、両面が粘着式の接着テープでも良いが、糊、または接着剤で貼り付けても良いし、剥がすことができるマジックテープであっても良い。さらに、確実に壁面１０に固定するために、カーテンボックス壁面固定部１００ｂの上からネジ等により壁面に固定しても良い。
【００３９】  両面テープ１０２、及びカーテンボックス表装１０３は無くても良いが、カーテンボックス表装１０３が有ることで、元の素材とは違った見栄えを表現したり、季節によって色合いを変えたカーテンボックス表装１０３を付け替えて季節感を出すことができる。
【００４０】  図７は、第二実施形態のカーテンボックス１００を壁面１０に設置した場合の壁面に直交する垂直断面図を示しており、カーテンボックス壁面固定部１００ｂの折れ曲がりの方向が概ね１８０度反対である以外は図２と同様である。
【００４１】  図８は、カーテン１７の左右にできる壁面１０とカーテン１７の側面との隙間を塞ぐための第一実施形態のカーテン側面閉鎖壁１１０の左右一対の斜視図であり、窓框１１の垂直部分の側方で、カーテン１７の左右の側面に沿うように壁面１０に取り付けて、壁面１０とカーテン１７の側面との隙間を塞ぐように取り付けることを特徴とする。
【００４２】  図９〜図１１は、カーテン側面閉鎖壁１１０の形状の違いによる実施形態を示す水平断面図であり、図１２は、カーテン１７の側面の簡易的な閉鎖方法を示す実施形態図である。
【００４３】  図９は、カーテン１７の側面を垂直方向にカーテン側面閉鎖壁１１０にて連続して挟んで壁面１０に固定する場合のカーテン側面閉鎖壁１１０を示す。カーテン１７を挟んで固定するので、カーテン１７が多少揺れても外れない。室内からカーテン側面閉鎖壁１１０が見えるので、カーテンの左右を引き締める効果が期待できる。
【００４４】  図１０は、カーテン１７の側面を垂直方向にカーテン側面閉鎖壁１１０にて連続して室内側からカーテン１７に面で接する様に設置する場合の、壁面１０に固定するカーテン側面閉鎖壁１１０を示す。カーテン１７の壁面１０側でカーテン側面閉鎖壁１１０をカーテン１７と面で接触させるので、室内からはカーテン側面閉鎖壁１１０が見えないように設置できるが、確実に面で接触させるためにカーテン１７を少し壁面１０から押し出す形で設置することになる。
【００４５】  図１１は、カーテン１７の側面を垂直方向にカーテン側面閉鎖壁１１０にて連続して壁面１０側から接する様に設置する場合の、壁面１０に固定するカーテン側面閉鎖壁１１０を示す。カーテン１７の室内側でカーテン側面閉鎖壁１１０をカーテン１７と面で接触させるので、室内からカーテン側面閉鎖壁１１０が見える為にカーテンの左右を引き締める効果が期待でき、確実に面で接触させるためにカーテン１７を少し壁面１０に押し付ける形で設置することになる。
【００４６】  図１２は、カーテン側面固定用マジックテープ１１０ｃを使用してカーテン１７の側面を壁面１０に固定した状態において、カーテン側面固定用マジックテープ１１０ｃを横断する高さで水平に切断したときの水平断面図であり、壁面１０から離れているカーテン１７の側面にカーテン側面固定用マジックテープ１１０ｃの一方を貼り付けて、他方を壁面１０に同じく貼り付けて後に、これらのカーテン端面固定用マジックテープ１１０ｃを会わせて密着させることで壁面１０とカーテン１７とが概ね密着状態となる。
【００４７】  カーテン側面固定用マジックテープ１１０ｃは、カーテン１７の側面全体に取り付ける必要は無く、取り付ける高さは、図６及び図７のカーテンボックス表装１０３の下端より上部とすれば、カーテン側面固定用マジックテープ１１０ｃより下部では壁面１０とカーテン１７との隙間はカーテン１７の自重で概ね閉じられるので側方への空気の流れを止めることができる。カーテン側面固定用マジックテープ１１０ｃより上部は、壁面１０とカーテン１７の隙間は開いているが、カーテンボックス１００の側面まで巻かれたカーテンボックス表装１０３にて側方への空気の流れを止めることができる。
【００４８】  カーテン側面固定用マジックテープ１１０ｃは、マジックテープではなく、糊、もしくは接着剤でも良いが、マジックテープの方がカーテン１７の取り外しが簡単にできるので便利である。さらに、確実に壁面１０に固定するために、カーテン１７の上からネジ等により壁面１０に固定しても良い。
【００４９】  図１３は、カーテンボックスの無い場合のカーテン１７を閉めた状態の冷房時の窓際の空気の流れを模式的に表した図で、外気温度が室内温度より高いために窓際の空間ｍの空気は暖められ比重が軽くなって上昇し、壁面１０とカーテン１７の上部との隙間を通り矢印ａの様に室内の上部空間に流れ込み、一方、室内の冷房で冷やされた室内空気が、壁面１０とカーテン１７の下部との隙間を通り矢印ｂの様に窓際の空間ｍに引き込まれる形で流れ込むことで、窓際の空気と室内空気の間で連続的に対流が起こり、この室内に流れ込む暖められた空気を冷やすために冷房のエネルギーが余計に使用される。
【００５０】  図１４は、カーテンボックスの無い場合のカーテン１７を閉めた状態の暖房時の窓際の空気の流れを模式的に表した図で、外気温度が室内温度より低いために窓際の空間ｍの空気は冷やされ比重が重くなって下降し、壁面１０とカーテン１７の下部の隙間を通り矢印ｄの様に室内の下部空間に流れ込み、一方、室内の暖房で暖められた室内空気が、壁面１０とカーテン１７の上部の隙間を通り矢印ｃの様に窓際の空間ｍに引き込まれる形で流れ込むことで、窓際の空気と室内空気の間で連続的に対流が起こり、この室内に流れ込む冷やされた空気を暖めるために暖房のエネルギーが余計に使用される。
【００５１】  図１５は、カーテンボックスの有る場合のカーテン１７を閉めた状態の冷房時の窓際の空気の流れを模式的に表した図で、外気温度が室内温度より高いために窓際の空間ｍの窓１２寄りの空気は暖められ比重が軽くなり上昇するが、カーテンボックス１００により上部を塞がれているためにそれ以上上昇できず、窓際の空間ｍの中で窓１２寄りの空気の方がカーテン１７寄りの空気より温度が高い為に比重が軽い分窓１２寄りの空気が上昇し、その分だけカーテン１７寄りの空気が押し出される様に下降して、矢印ｅ及び矢印ｆの様な連続的な対流が窓際の空間ｍ内で起こるが、室内空気との連続的な対流は起こらないために余計な冷房のエネルギーが必要無くなる。
【００５２】  図１６は、カーテンボックスの有る場合のカーテン１７を閉めた状態の暖房時の窓際の空気の流れを模式的に表した図で、外気温度が室内温度より低いために窓際の空間ｍの窓１２寄りの空気は冷やされ比重が重くなり下降するが、カーテンボックス１００により上部を塞がれているために窓際の空間ｍを出られず、窓際の空間ｍの中で窓１２寄りの空気の方がカーテン１７寄りの空気より温度が低い為に比重が重い分窓１２寄りの空気が下降し、その分だけカーテン１７寄りの空気が押し出される様に上昇して、矢印ｇ及び矢印ｈの様な連続的な対流が窓際の空間ｍ内で起こるが、室内空気との連続的な対流は起こらないために余計な暖房のエネルギーが必要無くなる。
【００５３】  図１７は、カーテンボックスの有る場合のカーテン１７を閉めた状態でカーテン１７の側面が開いた状態の冷房時の窓際の空気の流れを模式的に表した図で、外気温度が室内温度より高いために窓際の空間ｍの空気は暖められ比重が軽くなり上昇しようとするが、カーテンボックス１００により上部を塞がれているためこれを迂回する様に一旦横に押し出されて、壁面１０とカーテン１７の上部の側面との隙間を通り室内に入った後に上昇する矢印ｉの様な流れで室内に流れ込み、一方、室内の冷房で冷やされた室内空気が、壁面１０とカーテン１７の下部との隙間を通り矢印ｂの様に窓際の空間に引き込まれる形で流れ込むことで、窓際の空気と室内空気の間で連続的に対流が起こり、この室内に流れ込む暖められた空気を冷やすために冷房のエネルギーが余計に使用される。
【００５４】  図１８は、カーテンボックスの有る場合のカーテン１７を閉めた状態でカーテン１７の側面が開いた状態の暖房時の窓際の空気の流れを模式的に表した図で、外気温度が室内温度より低いために窓際の空間ｍの空気は冷やされ比重が重くなり下降し、壁面１０とカーテン１７の下部との隙間を通り矢印ｄの様に室内に流れ込み、一方、室内の暖房で暖められた室内空気が、壁面１０とカーテン１７との上部がカーテンボックス１００により塞がれて通れない為にこれを迂回する様に、壁面１０とカーテン１７の上部の側面との隙間を通り矢印ｊの様に窓際の空間ｍに引き込まれる形で流れ込むことで、窓際の空気と室内空気の間で連続的に対流が起こり、この室内に流れ込む冷やされた空気を暖めるために暖房のエネルギーが余計に使用される。
【００５５】  図１９は、カーテンボックスの有る場合のカーテン１７を閉めた状態でカーテン１７の側面を閉じた状態の冷房時の窓際の空気の流れを模式的に表した図で、外気温度が室内温度より高いために窓際の空間ｍの中で窓１２寄りの空気は暖められ比重が軽くなり上昇するが、カーテンボックス１００により上部を、カーテン側面閉鎖壁１１０によりカーテン１７の側面を塞がれているため、窓際の空間ｍの中で窓１２寄りの空気の方がカーテン１７寄りの空気より温度が高い為に比重が軽い分窓１２寄りの空気が上昇し、その分だけカーテン１７寄りの空気が押し出される様に下降して、矢印ｅ及び矢印ｆの様な連続的な対流が窓際の空間ｍ内で起こるが、室内空気との連続的な対流は起こらないために余計な冷房のエネルギーが必要無くなる。
【００５６】  図２０は、カーテンボックスの有る場合のカーテン１７を閉めた状態でカーテン１７の側面を閉じた状態の暖房時の窓際の空気の流れを模式的に表した図で、外気温度が室内温度より低いために窓際の空間ｍの窓１２寄りの空気は冷やされ比重が重くなり下降するが、カーテンボックス１００により上部を、カーテン側面閉鎖壁１１０によりカーテン１７の側面を塞がれているために窓際の空間ｍを出られず、窓際の空間ｍの中で窓１２寄りの空気の方がカーテン１７寄りの空気より温度が低い為に比重が重い分窓１２寄りの空気が下降し、その分だけカーテン１７寄りの空気が押し出される様に上昇して、矢印ｇ及び矢印ｈの様な連続的な対流が窓際の空間ｍ内で起こるが、室内空気との連続的な対流は起こらないために余計な暖房のエネルギーが必要無くなる。
【００５７】  図１７及び図１８の様な連続的な対流は、まっすぐな上昇もしくは下降の流れを堰き止めて横に迂回させる流れに変えてから上昇もしくは下降する流れとしているため、図１３及び図１４の様なまっすぐな上昇もしくは下降する連続的な対流よりは緩やかな対流となるので、カーテン１７の側面を閉じないでカーテンボックス１００だけを設置しただけでも十分な省エネルギー効果が期待できるが、図１９及び図２０の様にカーテン７の側面を閉じた方がより大きな省エネルギー効果が得られる。
【００５８】  既設の建物で、カーテンボックスが既に設置されているカーテンの場合、もしくは壁面に密着する様に設置されたロールスクリーン、もしくはブラインドの場合でも、カーテン、ロールスクリーン、ブラインドの側面と壁面の隙間は開いていることが多いので、これらの側面と壁面の隙間を塞ぐためのカーテン側面閉鎖壁１１０を後付けで設置することで省エネルギー効果が得られる。
【００５９】  冷房時においてカーテン、ロールスクリーン、ブラインド等と壁面１０との隙間から壁面１０を伝って室内の天井部へと入ってくる熱気は、天井部材を加熱することになり、加熱された天井部材からの輻射熱が天井から放射されることで、下に居る人間の上半身が加熱され、体感的に暑いと感じるために冷房設定温度を下げることに繋がり、余計な冷房エネルギーが費やされる。
【００６０】  暖房時でも同様に、カーテン、ロールスクリーン、ブラインド等と壁面との隙間から壁面を伝って室内の床部へと入ってくる冷気は、床材を冷やして床からの冷やされた輻射熱が床から放射されることで、下半身を冷やして寒さを体感させ暖房の設定温度を上げさせることに繋がり、余計な暖房エネルギーが費やされる。
【００６１】  従って、カーテン、ロールスクリーン、ブラインド等と壁面との隙間を効果的に塞ぐことは、天井、床の温度を室温に近付けることになり、輻射熱による体感温度を抑えることになり、冷暖房の設定温度を抑えることに繋がり省エネルギーに繋がる。
【００６２】  冷房時においてカーテンボックス１００及びカーテン側面側面閉鎖壁１１０が有る場合、日射によりカーテン、ロールスクリーン、ブラインド等と窓１２との間の窓際空間ｍの温度が上がることが予想される場合には、窓１２を少し開けてカーテン、ロールスクリーン、ブラインド等と窓１２の間の窓際空間ｍの空気と外気とを対流させることで温度上昇を抑えることができるので、カーテン、ロールスクリーン、ブラインド等からの室内への輻射熱を抑えることに繋がり、輻射熱による体感温度を抑えることになり、冷房時の設定温度を抑えることに繋がり省エネルギーとなる。カーテンボックス１００及びカーテン側面側面閉鎖壁１１０が無い場合に窓１２を少し開けるのは、室内と外気との間で対流が起こるので省エネルギーにはならない。
【００６３】  図２１は、窓開口部の室外側の第二実施形態の窓カバーの斜視図であり、一般的な水平の窓格子の格子部分の後ろにシート状のカバーを組み込んだもので、釣りバンド２０６にて窓カバーを開けた状態で固定したところであり、正面から見ると水平の窓格子に見える窓カバーの斜視図である。
【００６４】  図２２は、窓開口部の室外側の第二実施形態の窓カバーを使用しないで開けている時の外壁面に直交する垂直断面図である。この状態の時には格子部分を庇として利用できるので、夏季の昼間の日除け効果が期待できる。
【００６５】  図２３は、窓開口部の室外側の第二実施形態の窓カバーを使用するために閉めている時の外壁面に直交する垂直断面図である。図２２の窓カバーを開けている状態から、窓カバー固定軸２０４を中心に概ね９０度回動させて、窓カバーのカバーシート２０２の上下の端部が重なる様に連なって閉じた状態となり、窓カバーのカバーシート２０２と窓の間の空間を外気と概ね遮蔽することができるので、この遮蔽された空間が遮蔽された空気層となり断熱に寄与することができる。
【００６６】  図１に示す窓開口部の室外側の第一実施形態の窓カバーは、左右に固定軸２が配置し、カバーシート４が上下に開閉する形態を示すが、この装置を９０度回転させて上下に固定軸２が配置し、シートカバー４が左右に開閉する形態であっても良い。同様に、図２１に示す窓開口部の室外側の第二実施形態の窓カバーは、左右に第二実施形態の窓カバーの固定部２００が配置し、第二実施形態の窓カバーのカバーシート２０２が水平に配置された第二実施形態の窓カバーの固定軸２０５周りに回動する形態を示すが、この装置を９０度回転させて上下に第二実施形態の窓カバーの固定部２００が配置し、第二実施形態の窓カバーのカバーシート２０２が垂直に配置された第二実施形態の窓カバーの固定軸２０５周りに回動する形態であっても良い。
【００６７】  図５〜図７で示す第一実施形態もしくは第二実施形態のカーテンボックスと、図８〜図１０で示す第一実施形態もしくは第二実施形態のカーテン側面閉鎖壁とは各々別の装置であるが、これらのカーテンボックスとカーテン側面閉鎖壁とを一体に形成しても良い。
【００６８】  以上のように本発明の実施の形態及び実施例について説明を行なったが、今回開示された実施の形態及び実施例は例示であって制限的なものではない。本発明の範囲は上記した実施の形態及び実施例ではなくて特許請求の範囲によって示され、特許請求の範囲と均等の意味および範囲内でのすべての組み合わせが含まれることが意図される。
【００６９】  特許請求項１、特許請求項２、及び特許請求項３は、各々に独立した特許請求項であり、それぞれを単独で使用することもできる請求項である。
【符号の説明】
【００７０】１      固定軸ボックス
１ａ    固定軸ボックス（左）
１ｂ    固定軸ボックス（右）
２      固定軸
２ａ    固定軸（左）
２ｂ    固定軸（右）
３      閉鎖ボックス
３ｃ    閉鎖ボックス（上）
３ｄ    閉鎖ボックス（下）
４      カバーシート
５      留めリング
６      クリップ
７      取付ネジ
１０    壁面
１１    窓框
１２    窓
１２ａ  窓（左）
１２ｂ  窓（右）
１３    網戸
１４    カーテンレール
１５    カーテンレール保持具
１６    レースのカーテン
１７    カーテン
１００  カーテンボックス
１００ａカーテンボックス蓋部
１００ｂカーテンボックス壁面固定部
１００ｃカーテンボックス前垂れ部
１００ｄカーテンボックス横垂れ部
１０１  カーテンボックス壁面接着テープ
１０２  カーテンボックス表装部接着テープ
１０３  カーテンボックス表装
１１０  カーテン側面閉鎖壁
１１０ａカーテン側面閉鎖壁（左）
１１０ｂカーテン側面閉鎖壁（右）
１１０ｃカーテン側面固定用マジックテープ
２００  第二実施形態の窓カバーの固定部
２００ａ第二実施形態の窓カバーの固定部（左）
２００ｂ第二実施形態の窓カバーの固定部（右）
２０１  第二実施形態の窓カバーの閉鎖ボックス
２０１ｃ第二実施形態の窓カバーの閉鎖ボックス（上）
２０１ｄ第二実施形態の窓カバーの閉鎖ボックス（下）
２０２  第二実施形態の窓カバーのカバーシート
２０３  第二実施形態の窓カバーの受動部
２０３ａ第二実施形態の窓カバーの受動部（左）
２０３ｂ第二実施形態の窓カバーの受動部（右）
２０４  第二実施形態の窓カバーの受動軸
２０５  第二実施形態の窓カバーの固定軸
２０６  第二実施形態の窓カバーの吊りバンド
２０７  第二実施形態の窓カバーの固定ネジ
ａ      窓際空間内の上部の空気の上昇気流
ｂ      窓際空間内の下部への空気の二次上昇気流
ｃ      窓際空間内の上部への空気の二次下降気流
ｄ      窓際空間内の下部の空気の下降気流
ｅ      窓際空間内の上部の空気の気流
ｆ      窓際空間内の下部の空気の二次気流
ｇ      窓際空間内の上部の空気の二次気流
ｈ      窓際空間内の下部の空気の気流
ｉ      窓際空間内の上部の空気の迂回上昇気流
ｊ      窓際空間内の上部の空気の迂回二次下降気流
ｍ      窓際空間
注：以下のものは登録商標
１．マジックテープ
【図１】
2018003569.tif 000003
【図２】
2018003569.tif 000004
【図３】
2018003569.tif 000005
【図４】
2018003569.tif 000006
【図５】
2018003569.tif 000007
【図６】
2018003569.tif 000008
【図７】
2018003569.tif 000009
【図８】
2018003569.tif 000010
【図９】
2018003569.tif 000011
【図１０】
2018003569.tif 000012
【図１１】
2018003569.tif 000013
【図１２】
2018003569.tif 000014
【図１３】
2018003569.tif 000015
【図１４】
2018003569.tif 000016
【図１５】
2018003569.tif 000017
【図１６】
2018003569.tif 000018
【図１７】
2018003569.tif 000019
【図１８】
2018003569.tif 000020
【図１９】
2018003569.tif 000021
【図２０】
2018003569.tif 000022
【図２１】
2018003569.tif 000023
【図２２】
2018003569.tif 000024
【図２３】
2018003569.tif 000025